(57)【要約】【課題】意匠性を改善するとともに床仕上げ材の交換を可能としたサニタリー室の床仕上げ構造を提供する。【解決手段】サニタリー室の床部に設置される防水パン１０と、上記防水パン１０の床面に敷設される床仕上げ材１１とを備え、上記防水パン１０には、床仕上げ材１１敷設面に敷設された床仕上げ材１１の周辺に沿うように係止部材１６が設けられ、上記係止部材１６には、敷設された床仕上げ材１１の周辺部を上側から押さえる押さえ部材１７が係脱可能に係止されている。【選択図】図４
2007132042.tif 000002
【特許請求の範囲】
【請求項１】
サニタリー室の床部に設置される防水パンと、上記防水パンの床面に敷設される床仕上げ材とを備え、
上記防水パンには、床仕上げ材敷設面に敷設された床仕上げ材の周辺に沿うように係止部材が設けられ、
上記係止部材には、敷設された床仕上げ材の周辺部を上側から押さえる押さえ部材が係脱可能に係止されていることを特徴とするサニタリー室の床仕上げ構造。
【請求項２】
上記防水パンと床仕上げ材の間にファスナー部材が介在することにより、防水パンに対して床仕上げ材が着脱可能に係止されている請求項１記載のサニタリー室の床仕上げ構造。
【請求項３】
上記係止部材の上に、壁部材および／または仕切り部材が設置されている請求項１または２記載のサニタリー室の床仕上げ構造。
【請求項４】
サニタリー室の床部に設置される防水パンと、上記防水パンの床面に敷設される床仕上げ材とを準備し、
上記防水パンに、床仕上げ材敷設面に敷設される床仕上げ材の周辺に沿うように係止部材を設け、
上記係止部材に、敷設された床仕上げ材の周辺部を上側から押さえる押さえ部材を係脱可能に係止することを特徴とするサニタリー室の床仕上げ工法。
【発明の詳細な説明】
【技術分野】
【０００１】
本発明は、意匠性を改善するとともに床仕上げ材の交換を可能としたサニタリー室の床仕上げ構造およびその工法に関するものである。
【背景技術】
【０００２】
従来から、洗面室やトイレにクッションフロア等の床仕上げ材を設置する場合、接着剤や粘着テープを用いてクッションフロアを床面に貼り付けたり（下記の特許文献１、２）、ビスや金具を用いてクッションフロアを床面に固定し取り付けたりすることが行われていた（下記の特許文献３）。
【特許文献１】特開平０６−３１３３５７号公報
【特許文献２】特開平０９−３１００５２号公報
【特許文献３】特開２０００−９６８１５号公報
【発明の開示】
【発明が解決しようとする課題】
【０００３】
ところが、ユニット式の洗面室やトイレ室のようなサニタリー室においては、配管設置工事や配管メンテナンスのための点検口を設ける必要があるため、床仕上げ材を取り外す必要があり、上記特許文献１〜３のように床仕上げ材を床面に接着等してしまう方法は適用できない。また、サニタリー室は床面積が限られているため、床面に点検口を設けると全体に比べて点検口が大きく目立ってしまい、意匠性が甚だ悪くなるため、点検口を壁面に設ける必要があり、設計的な制約が大きかった。また、壁面であっても床面であっても、点検口を設けると蓋の周囲に凹凸が出来て使い勝手が悪かったり見た目があまり良くないなどの問題があった。
【０００４】
本発明は、上記のような事情に鑑みなされたもので、意匠性を改善するとともに床仕上げ材の交換を可能としたサニタリー室の床仕上げ構造およびその工法の提供をその目的とする。
【課題を解決するための手段】
【０００５】
上記目的を達成するため、本発明のサニタリー室の床仕上げ構造は、サニタリー室の床部に設置される防水パンと、上記防水パンの床面に敷設される床仕上げ材とを備え、上記防水パンには、床仕上げ材敷設面に敷設された床仕上げ材の周辺に沿うように係止部材が設けられ、上記係止部材には、敷設された床仕上げ材の周辺部を上側から押さえる押さえ部材が係脱可能に係止されていることを要旨とする。
【０００６】
また、上記目的を達成するため、本発明のサニタリー室の床仕上げ工法は、サニタリー室の床部に設置される防水パンと、上記防水パンの床面に敷設される床仕上げ材とを準備し、上記防水パンに、床仕上げ材敷設面に敷設される床仕上げ材の周辺に沿うように係止部材を設け、上記係止部材に、敷設された床仕上げ材の周辺部を上側から押さえる押さえ部材を係脱可能に係止することを要旨とする。
【発明の効果】
【０００７】
すなわち、本発明は、上記防水パンに床仕上げ材敷設面に敷設された床仕上げ材の周辺に沿うように係止部材が設けられ、上記係止部材に、敷設された床仕上げ材の周辺部を上側から押さえる押さえ部材が係脱可能に係止される。このため、床面に点検口を設けたとしても、床面には床仕上げ材が敷設されることから、点検口や蓋の周囲の凹凸も床仕上げ材で隠れてしまい、意匠性が格段に向上する。また、点検口が隠れることから外観を考慮することなく点検口の大きさや場所を設定できることから、設計上の制約がほとんどなくなる。
【０００８】
しかも、押さえ部材を外すことにより、簡単に床仕上げ材を剥がすことができるため、必要に応じて容易に床仕上げ材を取り外して配管のメンテナンスを行うことが可能となる上、床仕上げ材を取り外すことにより床仕上げ材自体が損傷することがないため、外した床仕上げ材をそのまま再利用することが容易となる。さらに、床仕上げ材自体が汚れてきたときには、容易に床仕上げ材を外して交換することが可能である。特に賃貸住居向けのユニット式サニタリー室では、居住者の入れ替わりによる床仕上げ材交換の要望が高いため、効果的である。
【０００９】
本発明において、上記防水パンと床仕上げ材の間にファスナー部材が介在することにより、防水パンに対して床仕上げ材が着脱可能に係止されている場合には、押さえ部材で押さえられた床仕上げ材の周辺部以外の部分に、ファスナー部材を介在させることにより、床仕上げ材の浮き上がりを防止し、外観の悪化や躓き事故の発生を防止する。また、床仕上げ材の取り外し取り付けに支障をきたすことなく、床仕上げ材の交換にも支障がない。
【００１０】
本発明において、上記係止部材の上に、壁部材および／または仕切り部材が設置されている場合には、係止部材が床仕上げ材の設置用の部材と、壁部材および／または仕切り部材の設置用の部材とを兼ねることにより、部品効率を高めてユニットの構成がシンプルとなり、製品コストや組み立てコストの節減に寄与する。
【００１１】
本発明において、上記係止部材には、壁部材および／または仕切り部材の位置決めを行う位置決め手段が設けられている場合には、係止部材の上に壁部材および／または仕切り部材の設置を行う際の作業性を大幅に改善する。
【００１２】
本発明において、上記位置決め手段が係合手段である場合には、係止部材上に設置された壁部材および／または仕切り部材のずれを防止し、地震等による外力が加わったときのユニットの損傷を防止する。
【００１３】
本発明において、上記防水パンは、シャワー室および／または浴室用のウェット空間に対応するウェット面と、洗面室および／またはトイレ室のドライ空間に対応するドライ面とに仕切られており、上記床仕上げ材が上記ドライ面に敷設されている場合には、シャワー室および／または浴室用のウェット空間と、洗面室および／またはトイレ室のドライ空間とを有するサニタリー室における上記ドライ空間の意匠性を改善し、設計の自由度を高める効果を奏する。特に、このようなウェット空間とドライ空間を有するサニタリーユニットでは、床面積その他の設計的な制約事項が多いことから、点検口に関する設計の自由度を高める本発明が効果的である。
【００１４】
本発明において、上記ウェット空間とドライ空間を仕切る仕切り部材が、上記係止部材の上に設置されている場合には、ウェット空間とドライ空間を有するサニタリーユニットにおいて、床仕上げ材の設置用の部材と、仕切り部材の設置用の部材とを兼ねることにより、部品効率を高めてユニットの構成がシンプルとなり、製品コストや組み立てコストの節減に寄与する。
【発明を実施するための最良の形態】
【００１５】
つぎに、本発明を実施するための最良の形態を説明する。
【００１６】
図１は、本発明が適用されるサニタリー室の一例を示す横断面図である。以下の説明では、本発明をサニタリーユニット１に適用した例を示す。
【００１７】
このサニタリーユニット１は、周囲が壁部材４で囲われたユニット式のものであり、内部が仕切り部材５によって仕切られ、シャワー室および／または浴室用として使用されるウェット空間２と、洗面室および／またはトイレ室として使用されるドライ空間３とを備えて構成されている。そして、上記ドライ空間３に外部と出入するための出入口としてのドア６が設けられている。また、上記仕切り部材５には、ドライ空間３とウェット空間２との間を行き来するための開閉パネル７が設けられている。
【００１８】
図２は、本発明が適用される床仕上げ構造の一例を示す。
【００１９】
この床仕上げ構造は、上記サニタリーユニット１のサニタリー室としてのウェット空間２およびドライ空間３の床部に設置される防水パン１０、上記防水パン１０の床面に敷設される床仕上げ材１１とを備えている。
【００２０】
上記防水パン１０は、ウェット空間２に対応するウェット面８と、ドライ空間３に対応するドライ面９とに仕切られており、ドライ面９に床仕上げ材１１が敷設されている。上記ドライ面９の入口側近傍部には、配管工事や配管メンテナンスを行うための点検口１２が形成されている。この点検口１２は、通常は蓋１３で覆われている。
【００２１】
上記防水パン１０のドライ面９には、入口側より遠い部分に、開口１４ａ，１４ｂが形成される。開口１４ａは、ドライ空間３をトイレ室として使用する場合のトイレ配管用の開口１４ａであり、開口１４ｂは、ドライ空間３を洗面室として使用する場合の洗面配管用の開口１４ｂである。
【００２２】
なお、図では２つの開口１４ａ，１４ｂを示しているが、ドライ空間３をトイレ室として使用する場合はトイレ配管用の開口１４ａだけを形成し、ドライ空間３を洗面室として使用する場合は洗面配管用の開口１４ｂだけを形成すればよい。また、あらかじめ２つの開口１４ａ，１４ｂを形成しておいて、ドライ空間３をトイレ室として使用する場合は洗面配管用の開口１４ｂを図示しない蓋で覆い、ドライ空間３を洗面室として使用する場合はトイレ配管用の開口１４ａを図示しない蓋で覆うようにしてもよい。
【００２３】
また、上記防水パン１０のウェット面８には、仕切り部２８に近い側の中央付近に、排水口１５が形成されている。
【００２４】
上記床仕上げ材１１としては、例えば、クッションフロアー、長尺塩ビシート等のシート状のものが使用される。
【００２５】
図３および図４は、本実施形態の床仕上げ工法を説明する図である。
【００２６】
すなわち、まず、サニタリーユニット１を設置して点検口１２から配管工事を済ませたのち点検口１２に蓋１３をし、上記防水パン１０の床仕上げ材敷設面であるドライ面９に、床仕上げ材１１を敷設するとともに、敷設される床仕上げ材１１の周辺に沿うように係止部材１６を設け、上記係止部材１６に、敷設された床仕上げ材１１の周辺部を上側から押さえる押さえ部材１７を係脱可能に係止するのである。
【００２７】
図５は、本実施形態の床仕上げ構造の一例を示すＡ−Ａ断面図である。以下その詳細を説明する。
【００２８】
上記防水パン１０は、例えばＦＲＰの成形品から形成され、床仕上げ材１１の敷設面であるドライ面９の周辺に係止部材１６を収容するための底が平らな角溝状の収容溝１８が形成されている。また、上記防水パン１０のドライ面９には、床仕上げ材１１と防水パン１０の間に介在させるファスナー部材としての面ファスナー２４を収容するための凹部２３が形成されている。上記凹部２３は、図では収容溝１８と連続して形成されているが、これに限定するものではなく、例えば点検口１２の周辺や、ドライ面９の中央付近等、適宜の場所に設けることができる。
【００２９】
上記係止部材１６は、例えばアルミニウムの押出し材等から形成され、床仕上げ材１１の周辺に沿う長さの長尺状に形成されている。上記係止部材１６は、上面が平らな受け面２９に形成された下面に開放部を有して全体として大略断面略コ字状を呈し、床仕上げ材１１が敷設される室内側の上面に、上記押さえ部材１７を打ち込むための打ち込み溝２２が形成されている。
【００３０】
また、上記係止部材１６の受け面２９には、壁部材４に形成された嵌合穴２５と嵌合する嵌合突部２６が形成されている。上記嵌合穴２５と嵌合突部２６は、壁部材４および／または仕切り部材５の位置決めを行う位置決め手段ならびに、壁部材４および／または仕切り部材５と係止部材１６を係合する係合手段２７として機能する。
【００３１】
上記押さえ部材１７は、例えば樹脂の成形品から形成され、床仕上げ材１１の周辺に沿う長さの長尺状に形成されている。下部に開放する断面略コ字状の押さえ部１９と、上記コ字状の室外側の下面に垂設された打ち込み部２０とから形成されている。上記打ち込み部２０の表面には、打ち込み溝２２に打ち込まれた打ち込み部２０が容易に抜けないよう返し２１が形成されている。上記押さえ部１９と打ち込み部２０は硬質樹脂から形成し、返し２１は軟質樹脂から形成するのが好ましい。
【００３２】
そして、上記押さえ部材１７は、打ち込み部２０が係止部材１６の打ち込み溝２２に打ち込まれた状態で押さえ部１９の室内側の下面が、敷設された床仕上げ材１１の周辺部を上側から押さえ、床仕上げ材１１を防水パン１０に固定するようになっている。このとき、上記押さえ部材１７は、打ち込み部２０の返し２１と打ち込み溝２２内面との摩擦力によって固定されているので、上記摩擦力に抗して押さえ部材１７を上方に引き抜くことにより、押さえ部材１７が係止部材１６から外れて床仕上げ材１１を取り外せるようになっている。
【００３３】
このように、上記押さえ部材１７の打ち込み部２０を係止部材１６の打ち込み溝２２に打ち込んで、押さえ部１９で床仕上げ材１１を上から押さえるとともに、上記係止部材１６の上面の受け面２９に壁部材４および／または仕切り部材５を設置している。特に、ドライ空間３では、壁部材４および／または仕切り部材５の床面との継目部分は、シリコーン等によるシール工事をしないことから、上記押さえ部１９がやや上に突出していることにより、壁部材４および／または仕切り部材５と係止部材１６との継目部分の目隠しになり、押さえ部材１７が化粧部材としても機能する。
【００３４】
また、上記防水パン１０の凹部２３に面ファスナー２４の一方が接着剤等で接着されるとともに、床仕上げ材１１の上記凹部２３に対面する箇所に面ファスナー２４の他方が接着されている。これにより、上記防水パン１０と床仕上げ材１１の間に面ファスナー２４が介在することによっても、防水パン１０に対して床仕上げ材１１が着脱可能に係止される。
【００３５】
そして、係止部材１６の受け面２９の上に、壁部材４が設置され、上記ウェット空間２とドライ空間３を仕切る仕切り部２８に設けられた係止部材１６の受け面２９の上には、仕切り部材５が設置される。このとき、上記嵌合穴２５と嵌合突部２６は、壁部材４および／または仕切り部材５の位置決め手段として機能し、壁部材４および／または仕切り部材５と係止部材１６の係合手段２７として機能する。
【００３６】
以上のように、本発明によれば、上記防水パン１０に床仕上げ材１１敷設面に敷設された床仕上げ材１１の周辺に沿うように係止部材１６が設けられ、上記係止部材１６に、敷設された床仕上げ材１１の周辺部を上側から押さえる押さえ部材１７が係脱可能に係止される。このため、床面に点検口１２を設けたとしても、床面には床仕上げ材１１が敷設されることから、点検口１２や蓋１３の周囲の凹凸も床仕上げ材１１で隠れてしまい、意匠性が格段に向上する。また、点検口１２が隠れることから外観を考慮することなく点検口１２の大きさや場所を設定できることから、設計上の制約がほとんどなくなる。
【００３７】
しかも、押さえ部材１７を外すことにより、簡単に床仕上げ材１１を剥がすことができるため、必要に応じて容易に床仕上げ材１１を取り外して配管のメンテナンスを行うことが可能となる上、床仕上げ材１１を取り外すことにより床仕上げ材１１自体が損傷することがないため、外した床仕上げ材１１をそのまま再利用することが容易となる。さらに、床仕上げ材１１自体が汚れてきたときには、容易に床仕上げ材１１を外して交換することが可能である。特に賃貸住居向けのユニット式サニタリー室では、居住者の入れ替わりによる床仕上げ材１１交換の要望が高いため、効果的である。
【００３８】
また、上記防水パン１０と床仕上げ材１１の間にファスナー部材が介在することにより、防水パン１０に対して床仕上げ材１１が着脱可能に係止されているため、押さえ部材１７で押さえられた床仕上げ材１１の周辺部以外の部分に、ファスナー部材を介在させることにより、床仕上げ材１１の浮き上がりを防止し、外観の悪化や躓き事故の発生を防止する。また、床仕上げ材１１の取り外し取り付けに支障をきたすことなく、床仕上げ材１１の交換にも支障がない。
【００３９】
また、上記係止部材１６の上に、壁部材４および／または仕切り部材５が設置されているため、係止部材１６が床仕上げ材１１の設置用の部材と、壁部材４および／または仕切り部材５の設置用の部材とを兼ねることにより、部品効率を高めてユニットの構成がシンプルとなり、製品コストや組み立てコストの節減に寄与する。
【００４０】
また、上記係止部材１６には、壁部材４および／または仕切り部材５の位置決めを行う位置決め手段が設けられているため、係止部材１６の上に壁部材４および／または仕切り部材５の設置を行う際の作業性を大幅に改善する。
【００４１】
また、上記位置決め手段が係合手段２７であるため、係止部材１６上に設置された壁部材４および／または仕切り部材５のずれを防止し、地震等による外力が加わったときのユニットの損傷を防止する。
【００４２】
また、上記防水パン１０は、シャワー室および／または浴室用のウェット空間２に対応するウェット面８と、洗面室および／またはトイレ室のドライ空間３に対応するドライ面９とに仕切られており、上記床仕上げ材１１が上記ドライ面９に敷設されているため、シャワー室および／または浴室用のウェット空間２と、洗面室および／またはトイレ室のドライ空間３とを有するサニタリー室における上記ドライ空間３の意匠性を改善し、設計の自由度を高める効果を奏する。特に、このようなウェット空間２とドライ空間３を有するサニタリーユニット１では、床面積その他の設計的な制約事項が多いことから、点検口に関する設計の自由度を高める本発明が効果的である。
【００４３】
また、上記ウェット空間２とドライ空間３を仕切る仕切り部材５が、上記係止部材１６の上に設置されているため、ウェット空間２とドライ空間３を有するサニタリーユニット１において、床仕上げ材１１の設置用の部材と、仕切り部材５の設置用の部材とを兼ねることにより、部品効率を高めてユニットの構成がシンプルとなり、製品コストや組み立てコストの節減に寄与する。
【図面の簡単な説明】
【００４４】
【図１】本発明が適用されるサニタリー室の一例を示す横断面図である。
【図２】本発明が適用される床仕上げ構造の一例を示す斜視図である。
【図３】本発明の床仕上げ工法の工程を説明する図である。
【図４】本発明の床仕上げ工法の工程を説明する図である。
【図５】本発明の床仕上げ構造の一例を示すＡ−Ａ断面図である。
【符号の説明】
【００４５】
１：サニタリーユニット
２：ウェット空間
３：ドライ空間
４：壁部材
５：仕切り部材
６：ドア
７：開閉パネル
８：ウェット面
９：ドライ面
１０：防水パン
１１：床仕上げ材
１２：点検口
１３：蓋
１４ａ：開口
１４ｂ：開口
１５：排水口
１６：係止部材
１７：押さえ部材
１８：収容溝
１９：押さえ部
２０：打ち込み部
２１：返し
２２：打ち込み溝
２３：凹部
２４：面ファスナー
２５：嵌合穴
２６：嵌合突部
２７：係合手段
２８：仕切り部
２９：受け面
【図１】
2007132042.tif 000003
【図２】
2007132042.tif 000004
【図３】
2007132042.tif 000005
【図４】
2007132042.tif 000006
【図５】
2007132042.tif 000007